(57)【要約】【課題】タッチセンサにおいて、引き出し配線に起因する不感領域を低減し、タッチ検出精度を向上させる。【解決手段】第１電極１０はクランク状の形状を有しており、基端部１１と、基端部１１から向きＹ１に延びる第１部分電極１２と、基端部１１から向きＹ２に延びる第２部分電極１３とを備えている。複数の第２電極２０のうち第１部分電極１２と対向する第１電極群２１において、基端部１１に近い方のｎ個の電極２１ａは、引き出し配線３１ａが第２部分電極１３の側に延びるように配置されている。引き出し配線が占める領域の幅が小さくなり、引き出し配線に起因する不感領域が低減される。【選択図】図２
2019079423.tif 000002
【特許請求の範囲】
【請求項１】
透明基板と、
前記透明基板における操作エリアに配置された、第１電極、および、前記第１電極と第１方向において対向する複数の第２電極とを備え、
前記第１電極は、
基端部と、
前記基端部から、前記第１方向と垂直をなす第２方向において第１の向きに延びる第１部分電極と、
前記基端部から前記第１の向きと反対の向きである第２の向きに延び、前記第１方向において前記第１部分電極からシフトした位置に配置された第２部分電極とを備え、
前記複数の第２電極は、
前記第１部分電極と前記第１方向において対向し、前記第２部分電極と前記第２方向に並ぶように配置された、第１電極群と、
前記第２部分電極と前記第１方向において対向し、前記第１部分電極と前記第２方向に並ぶように配置された、第２電極群とを含み、
前記第１電極群のうち前記基端部に近い方からｎ（ｎは１以上の整数）個の電極に接続された第１引き出し配線は、前記第２の向きに延び、前記第２部分電極の側方を通過するように、配置されている
ことを特徴とするタッチセンサ。
【請求項２】
請求項１記載のタッチセンサにおいて、
前記第２電極群のうち前記基端部に近い方からｍ（ｍは１以上の整数）個の電極に接続された第２引き出し配線は、前記第１の向きに延び、前記第１部分電極の側方を通過するように、配置されている
ことを特徴とするタッチセンサ。
【請求項３】
請求項１記載のタッチセンサにおいて、
前記第２部分電極と前記第１引き出し配線との間に、グランド部が設けられている
ことを特徴とするタッチセンサ。
【請求項４】
請求項２記載のタッチセンサにおいて、
前記第１部分電極と前記第２引き出し配線との間に、グランド部が設けられている
ことを特徴とするタッチセンサ。
【請求項５】
請求項１記載のタッチセンサにおいて、
前記第１電極は、基部と、前記基部から前記第１方向における、対向する前記第２電極の側に延びる複数の櫛歯とを有する第１櫛歯部を備え、
前記第２電極は、基部と、前記基部から前記第１方向における、対向する前記第１電極の側に延びる複数の櫛歯とを有する第２櫛歯部を備え、
対向する前記第１および第２電極は、前記第１櫛歯部と前記第２櫛歯部とがかみ合うように配置されており、
前記第１櫛歯部の基部は、前記第２方向において間欠的に間隙が空いた構成を有している
ことを特徴とするタッチセンサ。
【請求項６】
請求項１記載のタッチセンサにおいて、
前記第１電極は、基部と、前記基部から前記第１方向における、対向する前記第２電極の側に延びる複数の櫛歯とを有する第１櫛歯部を備え、
前記第２電極は、基部と、前記基部から前記第１方向における、対向する前記第１電極の側に延びる複数の櫛歯とを有する第２櫛歯部を備え、
対向する前記第１および第２電極は、前記第１櫛歯部と前記第２櫛歯部とがかみ合うように配置されており、
前記第１および第２櫛歯部の櫛歯は、噛み合わせ長さ、太さ、または、本数のうち少なくともいずれか１つが、前記第２電極の前記第２方向における位置に応じて、異なっている
ことを特徴とするタッチセンサ。
【請求項７】
請求項１記載のタッチセンサの出力から、タッチされた座標を示す座標データを求めるコントローラであって、
前記タッチセンサの出力から、座標データを生成する座標データ生成部と、
座標データの補正値を記憶する記憶部と、
前記記憶部に記憶された補正値を用いて、前記座標データ生成部によって生成された座標データを補正する座標補正部とを備え、
前記記憶部は、
前記第１電極の前記基端部から前記第１の向きの側の第１領域に対して、第１補正値を記憶するとともに、前記第１電極の前記基端部から前記第２の向きの側の第２領域に対して、第２補正値を記憶しており、
前記座標補正部は、
前記座標データ生成部によって生成された座標データが、前記第１領域に属するときは前記第１補正値を用いて補正を行う一方、前記第２領域に属するときは前記第２補正値を用いて補正を行う
ことを特徴とするタッチセンサのコントローラ。
【発明の詳細な説明】
【技術分野】
【０００１】
本発明は、主に各種電子機器の操作に用いられるタッチセンサに関する。
【背景技術】
【０００２】
各種電子機器において、入力操作部として、液晶ディスプレイ等の表示部の上面に透明なタッチセンサを搭載したものが増加している。操作者は、タッチセンサを介して表示部の表示内容を視認し、タッチセンサに指等によってタッチすることによって、電子機器を操作することができる。
【０００３】
静電容量方式のタッチセンサには、２Layer方式によるものと１Layer方式によるものとがある。このうち、１Layer方式はセンサ電極を１層に配置するため、２Layer方式に比べて座標精度や感度が落ちるが、製作が簡便でコストが安いというメリットがある。
【０００４】
特許文献１に、静電容量方式のタッチセンサであって、１Layer方式によるものが開示されている。この構成では、視認される領域に形成される引出電極を目立ちにくくしている。
【先行技術文献】
【特許文献】
【０００５】
【特許文献１】特開２０１５−１０６２４０号公報
【発明の概要】
【発明が解決しようとする課題】
【０００６】
１Layer方式における座標精度悪化の原因は、操作エリア内においてセンサ電極の引き出し配線が配置され、この引き出し配線を配置した領域がいわゆる不感領域となり、タッチセンシングの感度を妨げるためである。
【０００７】
本発明は、タッチセンサにおいて、引き出し配線に起因する不感領域を低減し、タッチ検出精度を向上させることを目的とする。
【課題を解決するための手段】
【０００８】
上記の目的を達成するために、本発明の一実施形態に係るタッチセンサは、透明基板と、前記透明基板における操作エリアに配置された、第１電極、および、前記第１電極と第１方向において対向する複数の第２電極とを備え、前記第１電極は、基端部と、前記基端部から、前記第１方向と垂直をなす第２方向において第１の向きに延びる第１部分電極と、前記基端部から前記第１の向きと反対の向きである第２の向きに延び、前記第１方向において前記第１部分電極からシフトした位置に配置された第２部分電極とを備え、前記複数の第２電極は、前記第１部分電極と前記第１方向において対向し、前記第２部分電極と前記第２方向に並ぶように配置された、第１電極群と、前記第２部分電極と前記第１方向において対向し、前記第１部分電極と前記第２方向に並ぶように配置された、第２電極群とを含み、前記第１電極群のうち前記基端部に近い方からｎ（ｎは１以上の整数）個の電極に接続された第１引き出し配線は、前記第２の向きに延び、前記第２部分電極の側方を通過するように、配置されている。
【０００９】
この態様によると、第１電極はいわゆるクランク状の形状を有しており、基端部と、基端部から第１の向きに延びる第１部分電極と、基端部から第１の向きと反対の第２の向きに延びる第２部分電極とを備えている。そして、複数の第２電極のうち第１部分電極と対向する第１電極群において、基端部に近い方のｎ個の電極は、その引き出し配線が第２部分電極の側に延びるように配置されている。これにより、複数の第２電極に接続された引き出し配線が占める領域の幅を小さくすることができるので、引き出し配線に起因する不感領域を低減することができる。したがって、タッチ検出精度を向上させることができる。
【発明の効果】
【００１０】
本発明によると、タッチセンサにおいて、引き出し配線に起因する不感領域を低減できるので、タッチ検出精度を向上させることができる。
【図面の簡単な説明】
【００１１】
【図１】実施形態に係るタッチセンサを含む全体構成例を示す分解斜視図
【図２】実施形態におけるセンサ電極の配置パターンの例を示す平面図
【図３】実施形態におけるセンサ電極の配置パターンの他の例を示す平面図
【図４】対向する第１および第２電極の詳細構成
【図５】図４の構成の変形例
【図６】（ａ）〜（ｄ）は電極容量の調整を行うための図４の構成の変形例
【図７】タッチセンサのコントローラの構成を示す図
【発明を実施するための形態】
【００１２】
以下、本発明の各実施形態を図面に基づいて詳細に説明する。以下の各実施形態の説明は、本質的に例示に過ぎず、本発明、その適用物或いはその用途を制限することを意図するものではない。
【００１３】
（実施形態）
図１は実施形態に係るタッチセンサを含む全体構成例を示す分解斜視図である。タッチセンサ１は、透明基板１００と、透明基板１００の一層に配置されたセンサ電極とを備える。センサ電極の配置パターンの詳細については後述する。タッチセンサ１は、その上に例えば光透過性のカバー部材１１０が配置されて、例えば液晶ディスプレイ等の表示装置１２０における表示パネル１２２上に配置される。カバー部材１１０は、例えばガラス製のカバーガラスや光透過性樹脂から形成されたカバーレンズである。なお、タッチセンサ１の透明基板１００の硬度によっては、カバー部材１１０を配置しない構成にすることも可能である。タッチセンサ１は、上面から見たときに、表示パネル１２２の表示画面１２２ａに対応した操作エリア１０２と、表示パネル１２２の外周部分に対応する端子配線領域１０４（いわゆる額縁領域）とを有する。
【００１４】
図２はセンサ電極の配置パターンの一例を示す平面図である。図２に示すように、透明基板１００の操作エリア１０２には、第１電極１０と複数の第２電極２０とが、Ｘ方向（第１方向に相当する）において対向するように形成されている。第１電極１０は、基本的にはＹ方向（第２方向に相当する）に延びるように形成されているが、いわゆるクランク形状を有している。すなわち、第１電極１０は、基端部１１と、基端部１１からＹ方向において図面上向き（向きＹ１、第１の向きに相当する）に延びる第１部分電極１２と、基端部１１からＹ方向において図面下向き（向きＹ２、第２の向きに相当する）に延びる第２部分電極１３とを有する。第２部分電極１３は、Ｘ方向において第１部分電極１２からシフトした位置に配置されている。図２の配置では、第１電極１０は、Ｘ方向において８個、並べて配置されている。ただし、８個の第１電極１０は、１個おきに、左右反転されている。
【００１５】
複数の第２電極２０は、第１部分電極１２とＸ方向において対向する第１電極群２１と、第２部分電極１３とＸ方向において対向する第２電極群２２とを含む。図２では、１個の第１電極１０に対して、５個の第２電極２０が対向して配置されており、第１電極群２１は３個の電極２１ａ，２１ｂ，２１ｃからなり、第２電極群２２は２個の電極２２ａ，２２ｂからなる。そして、第１電極群２１は、第２部分電極１３とＹ方向において並ぶように配置されており、一方、第２電極群２２は、第１部分電極１２とＹ方向において並ぶように配置されている。
【００１６】
そして、複数の第２電極２０にはそれぞれ、Ｙ方向に延びる引き出し配線が接続されている。第１電極群２１において、電極２１ａに接続された引き出し配線３１ａ（第１引き出し配線に相当する）は図面下向き（向きＹ２）に延び、第２部分電極１３の側方を通過するように、配置されている。一方、電極２１ｂ，２１ｃに接続された引き出し配線３１ｂは図面上向き（向きＹ２）に延びている。第２電極群２２において、電極２２ａに接続された引き出し配線３２ａ（第２引き出し配線に相当する）は図面上向き（向きＹ１）に延び、第１部分電極１２の側方を通過するように、配置されている。電極２２ｂに接続された引き出し配線３２ｂは図面下向き（向きＹ２）に延びている。
【００１７】
また、第２部分電極１３と、これに平行に配置された引き出し配線３１ａとの間に、グランド部４１が配置されている。第１部分電極１２と、これに平行に配置された引き出し配線３２ａとの間に、グランド部４２が配置されている。
【００１８】
図２の配置パターンにおいて、領域Ａ１のように、第１電極１０と第２電極２０とが対向した部分が、指のタッチを検知する。一方、領域Ａ２のように、引き出し配線３１ａ，３１ｂ，３２ａ，３２ｂが配置された部分は、指のタッチを検知しないいわゆる不感領域となる。
【００１９】
なお、上述した第１電極１０、第２電極２０、引き出し配線３１ａ，３１ｂ，３２ａ，３２ｂおよびグランド部４１，４２は、例えば、金属細線にて構成されたメッシュパターンによって構成されている。
【００２０】
この構成により、次のような作用効果が得られる。すなわち、第１電極１０はいわゆるクランク状の形状を有しており、基端部１１と、基端部１１から向きＹ１に延びる第１部分電極１２と、基端部１１から向きＹ２に延びる第２部分電極１３とを備えている。そして、複数の第２電極２０のうち第１部分電極１２と対向する第１電極群２１において、基端部１１に近い電極２１ａは、その引き出し配線３１ａが第２部分電極１３の側に延びるように配置されている。これにより、複数の第２電極２０に接続された引き出し配線３１ａ，３１ｂ，３２ａ，３２ｂが占める領域の幅を小さくすることができるので、引き出し配線３１ａ，３１ｂ，３２ａ，３２ｂに起因する不感領域を低減することができる。したがって、タッチ検出精度を向上させることができる。
【００２１】
また、複数の第２電極２０のうち第２部分電極１３と対向する第２電極群２２において、基端部１１に近い電極２２ａは、その引き出し配線３２ａが第１部分電極１２の側に延びるように配置されている。これにより、複数の第２電極２０に接続された引き出し配線３１ａ，３１ｂ，３２ａ，３２ｂが占める領域の幅を小さくすることができるので、引き出し配線３１ａ，３１ｂ，３２ａ，３２ｂに起因する不感領域を低減することができる。したがって、タッチ検出精度を向上させることができる。
【００２２】
また、第２部分電極１３と第１引き出し配線３１ａとの間にグランド部４１を設けることによって、第１電極１０と引き出し配線３１ａとの間の寄生容量の増大を抑制することができる。同様に、第１部分電極１２と第２引き出し配線３２ａとの間にグランド部４２を設けることによって、第１電極１０と引き出し配線３２ａとの間の寄生容量の増大を抑制することができる。ただし、グランド部４１，４２は省いてもかまわない。
【００２３】
図３はセンサ電極の配置パターンの他の例を示す平面図である。図３では、透明基板１００の操作エリア１０２の一部について、電極形状を簡略化し、模式的に示している。
【００２４】
図３において、第１電極１０と複数の第２電極２０とが、Ｘ方向において対向するように形成されている。第１電極１０は、基本的にはＹ方向に延びるように形成されているが、いわゆるクランク形状を有している。すなわち、第１電極１０は、基端部１１と、基端部１１からＹ方向において図面上向き（向きＹ１）に延びる第１部分電極１２と、基端部１１からＹ方向において図面下向き（向きＹ２）に延びる第２部分電極１３とを有する。第２部分電極１３は、Ｘ方向において第１部分電極１２からシフトした位置に配置されている。図３の配置では、第１電極１０は、Ｘ方向において３個、並べて配置されている。ただし、３個の第１電極１０は、１個おきに、左右反転されている。
【００２５】
複数の第２電極２０は、第１部分電極１２と対向する第１電極群２１と、第２部分電極１３と対向する第２電極群２２とを含む。図３では、１個の第１電極１０に対して、１０個の第２電極２０が対向して配置されており、第１電極群２１は５個の電極２１ａ，２１ｂ，２１ｃ，２１ｄ，２１ｅからなり、第２電極群２２は５個の電極２２ａ，２２ｂ，２２ｃ，２２ｄ，２２ｅからなる。そして、第１電極群２１は、第２部分電極１３とＹ方向において並ぶように配置されており、一方、第２電極群２２は、第１部分電極１２とＹ方向において並ぶように配置されている。
【００２６】
そして、複数の第２電極２０にはそれぞれ、Ｙ方向に延びる引き出し配線が接続されている。第１電極群２１において、電極２１ａ，２１ｂに接続された引き出し配線３１ａは図面下向き（向きＹ２）に延び、第２部分電極１３の側方を通過するように、配置されている。一方、電極２１ｃ，２１ｄ，２１ｅに接続された引き出し配線３１ｂは図面上向き（向きＹ２）に延びている。第２電極群２２において、電極２２ａ，２２ｂに接続された引き出し配線３２ａは図面上向き（向きＹ１）に延び、第１部分電極１２の側方を通過するように、配置されている。電極２２ｃ，２２ｄ，２２ｅに接続された引き出し配線３２ｂは図面下向き（向きＹ２）に延びている。
【００２７】
また、第２部分電極１３と、これに平行に配置された引き出し配線３１ａとの間に、グランド部４１が配置されている。第１部分電極１２と、これに平行に配置された引き出し配線３２ａとの間に、グランド部４２が配置されている。
【００２８】
この構成により、次のような作用効果が得られる。すなわち、第１電極１０はいわゆるクランク状の形状を有しており、基端部１１と、基端部１１から向きＹ１に延びる第１部分電極１２と、基端部１１から向きＹ２に延びる第２部分電極１３とを備えている。そして、複数の第２電極２０のうち第１部分電極１２と対向する第１電極群２１において、基端部１１に近い方の電極２１ａ，２１ｂは、その引き出し配線３１ａが第２部分電極１３の側に延びるように配置されている。これにより、複数の第２電極２０に接続された引き出し配線３１ａ，３１ｂ，３２ａ，３２ｂが占める領域の幅を小さくすることができるので、引き出し配線３１ａ，３１ｂ，３２ａ，３２ｂに起因する不感領域を低減することができる。したがって、タッチ検出精度を向上させることができる。
【００２９】
また、複数の第２電極２０のうち第２部分電極１３と対向する第２電極群２２において、基端部１１に近い方の電極２２ａ，２２ｂは、その引き出し配線３２ａが第１部分電極１２の側に延びるように配置されている。これにより、複数の第２電極２０に接続された引き出し配線３１ａ，３１ｂ，３２ａ，３２ｂが占める領域の幅を小さくすることができるので、引き出し配線３１ａ，３１ｂ，３２ａ，３２ｂに起因する不感領域を低減することができる。したがって、タッチ検出精度を向上させることができる。
【００３０】
また、第２部分電極１３と第１引き出し配線３１ａとの間にグランド部４１を設けることによって、第１電極１０と引き出し配線３１ａとの間の寄生容量の増大を抑制することができる。同様に、第１部分電極１２と第２引き出し配線３２ａとの間にグランド部４２を設けることによって、第１電極１０と引き出し配線３２ａとの間の寄生容量の増大を抑制することができる。ただし、グランド部４１，４２は省いてもかまわない。
【００３１】
図４は図３において、対向する第１および第２電極１０，２０の詳細構成を示す。図４に示すように、第１電極１０は、基部１５ａと、基部１５ａからＸ方向における第２電極２０の側に延びる複数の櫛歯１５ｂとを有する第１櫛歯部１５を備える。第２電極２０は、基部２５ａと、基部２５ａからＸ方向における第１電極１０の側に延びる複数の櫛歯２５ｂとを有する第２櫛歯部２５を備える。ここでは、第１櫛歯部１５は５本の櫛歯１５ｂを有し、第２櫛歯部２５は４本の櫛歯２５ｂを有する。そして、対向する第１および第２電極１０，２０は、第１櫛歯部１５と第２櫛歯部２５とが噛み合うように配置されている。なお、図３では図示を簡略化しているが、第１および第２電極１０，２０が対向する箇所はそれぞれ、図４に示すような構成になっている。
【００３２】
図５は図４の構成の変形例である。図５では、第１電極１０の第１櫛歯部１５Ａは、櫛歯部１５ｄが１本の配線を折り返した形状となっており、基部１５ｃはＹ方向において間欠的に間隙ｄ１が空いた構成を有している。これにより、第１電極１０と、その側方を通過する引き出し配線３１ａとの電気的結合の度合いが軽減されるので、寄生容量の増大を抑制することができる。
【００３３】
また、第２電極２０は、当該電極のＹ方向における位置によって引き出し配線の配線長が大きく異なるため、各電極の容量のばらつきが大きくなる。そこで、各電極の容量のばらつきを抑制するために、第２電極２０のＹ方向における位置に応じて、図４の櫛歯が噛み合った形状を変更するようにしてもよい。
【００３４】
図６は電極容量を調整するための形状の変更例である。図６（ａ）では、第１櫛歯部１５の櫛歯１５ｂと第２櫛歯部２５の櫛歯２５ｂとの噛み合わせ長さが、図４の構成よりも短くなっている。これにより、図４の構成よりも容量が小さくなる。図６（ｂ）では、第１櫛歯部１５の櫛歯１５ｂおよび第２櫛歯部２５の櫛歯２５ｂの太さが、図４の構成よりも太くなっている。これにより、櫛歯１５ｂと櫛歯２５ｂとの間隔が狭まっているので、図４の構成よりも容量が大きくなる。図６（ｃ）では、第１櫛歯部１５の櫛歯１５ｂおよび第２櫛歯部２５の櫛歯２５ｂの本数が、図４の構成よりも少なくなっている。これにより、図４の構成よりも容量が小さくなる。図６（ｄ）では、第１櫛歯部１５の櫛歯１５ｂと第２櫛歯部２５の櫛歯２５ｂとの噛み合わせ長さが、図４の構成よりも長くなっている。これにより、図４の構成よりも容量が大きくなる。図６に示すような形状を用いることによって、第２電極２０が、Ｙ方向における位置にかかわらず、同様の容量を有するように構成することができる。
【００３５】
なお、図６（ａ）〜（ｄ）の構成を組み合わせて用いてもよい。すなわち、第１および第２櫛歯部１５，２５の櫛歯１５ｂ、２５ｂは、噛み合わせ長さ、太さ、または、本数のうち少なくともいずれか１つが、第２電極２０のＹ方向における位置に応じて、異なっているようにすればよい。
【００３６】
なお、図２の構成では、第１電極群２１は３個の電極を含み、そのうち基端部１１に近い１個の電極２１ａについて、その引き出し配線３１ａの向きを向きＹ２にした。また、図３の構成では、第１電極群２１は５個の電極を含み、そのうち基端部１１に近い２個の電極２１ａ，２１ｂについて、その引き出し配線３１ａの向きを向きＹ２にした。ただし、本開示はこれらの構成に限定されるものではなく、第１電極群２１のうち基端部１１に近い方からｎ（ｎは１以上の整数）個の電極に接続された引き出し配線を、向きＹ２に延び、第２部分電極１３の側方を通過するように、配置すればよい。
【００３７】
また、図２の構成では、第２電極群２２は２個の電極を含み、そのうち基端部１１に近い１個の電極２２ａについて、その引き出し配線３２ａの向きを向きＹ１にした。また、図３の構成では、第２電極群２２は５個の電極を含み、そのうち基端部１１に近い２個の電極２２ａ，２２ｂについて、その引き出し配線３２ａの向きを向きＹ１にした。ただし、本開示はこれらの構成に限定されるものではなく、第２電極群２２のうち基端部１１に近い方からｍ（ｍは１以上の整数）個の電極に接続された引き出し配線を、向きＹ１に延び、第１部分電極１２の側方を通過するように、配置すればよい。
【００３８】
（座標データの補正）
静電容量方式のタッチセンサでは、コントローラが、タッチ位置に応じたタッチセンサ出力を座標データに変換して出力する。ただし、実際のタッチ位置と座標データとは隔たりがあるため、コントローラ側で、操作エリア全体に対して正しい座標データが出力されるようなチューニングが必要である。そして、センサ電極が所定の周期的パターンで配置されている場合には、単一の補正値を用いたチューニングによって、コントローラは正しい座標データを出力することができる。
【００３９】
一方、本実施形態では、上述したとおり、クランク形状を有する第１電極１０を配置し、第２電極２０と接続された引き出し配線について、引き出す向きを分散させることによって、不感領域の幅を狭めることができた。ただし、例えば図２から分かるとおり、第１電極１０の基端部１１の上側（向きＹ１側）と下側（向きＹ２側）とでは、第１および第２電極１０，２０の配置パターンが異なっており、このため、Ｘ方向における不感領域の位置は、第１電極１０の基端部１１の上側と下側とで異なっている。このような構成では、座標データの補正を単一の補正値で行うことは不適当である。
【００４０】
そこでここでは、コントローラは、第１電極１０の基端部１１の上側の領域と下側の領域とで、それぞれ独立した補正値を用いて、座標データの補正を行うものとする。
【００４１】
図７は本実施形態におけるタッチセンサのコントローラの構成を示す図である。図７において、タッチセンサ１は、上側領域Ｂ１と下側領域Ｂ２とで不感領域ＤＺの配置位置が異なっている。上述の構成では、第１電極１０の基端部１１の位置が、上側領域Ｂ１と下側領域Ｂ２との境界となる。コントローラ５０は、タッチセンサ１の出力を受けて、タッチされた座標を示す座標データを求め、例えばホストＣＰＵ７０に出力する。
【００４２】
コントローラ５０は、マルチプレクサ５１、ＡＦＥ(Analog Front End)５２、Ａ／Ｄコンバータ５３、タッチ検出部５４、座標データ生成部５５、座標補正部５６、記憶部６０、および座標送信部５７を備える。座標データ生成部５５は、タッチセンサ１の出力から、座標データを生成する。記憶部６０は、座標データの補正値を記憶する。ここでは、記憶部６０は、上側領域Ｂ１に対する補正値１と、下側領域Ｂ２に対する補正値２とを記憶している。座標補正部５６は、記憶部６０に記憶された補正値を用いて、座標データ生成部５５によって生成された座標データを補正する。このとき、座標補正部５６は、座標データが上側領域Ｂ１に属するときは補正値１を用いる一方、座標データが下側領域Ｂ２に属するときは補正値２を用いる。座標送信部５７は、座標補正部５６による補正後の座標データを、コントローラ５０の外部に送信する。
【００４３】
以上、本発明についての実施形態を説明したが、本発明は上述の実施形態のみに限定されず、発明の範囲内で種々の変更が可能である。
【産業上の利用可能性】
【００４４】
本発明によるタッチパネルは、主に各種電子機器の操作用として有用である。
【符号の説明】
【００４５】
１  タッチセンサ
１０  第１電極
１１  基端部
１２  第１部分電極
１３  第２部分電極
１５  第１櫛歯部
１５ａ  基部
１５ｂ  櫛歯
２０  第２電極
２１  第１電極群
２１ａ，２１ｂ，２１ｃ，２１ｄ，２１ｅ  電極
２２  第２電極群
２２ａ，２２ｂ，２２ｃ，２２ｄ，２２ｅ  電極
２５  第２櫛歯部
２５ａ  基部
２５ｂ  櫛歯
３１ａ  引き出し配線（第１引き出し配線）
３２ａ  引き出し配線（第２引き出し配線）
４１，４２  グランド部
５０  コントローラ
５５  座標データ生成部
５６  座標補正部
６０  記憶部
１００  透明基板
１０２  操作エリア
Ｂ１  第１領域
Ｂ２  第２領域
ｄ１  間隙
【図１】
2019079423.tif 000003
【図２】
2019079423.tif 000004
【図３】
2019079423.tif 000005
【図４】
2019079423.tif 000006
【図５】
2019079423.tif 000007
【図６】
2019079423.tif 000008
【図７】
2019079423.tif 000009